(57)【要約】こぼれ防止機能付き乳児用哺乳瓶の閉止システムであって、瓶の雄ねじにねじ止めされることのできる雌ねじを備えた略円筒状の下部周縁部を有し、雌ねじの上の縁部で下部周縁部に連結され、その断面を塞ぐ下部仕切りを含む下部閉止リングであって、下部仕切りは、第１の上面および第１の下面と、一方では第１の上面において、他方では第１の下面において開口する少なくとも１つの下部貫流孔とを含む、下部閉止リングと、雄ねじを有する略円筒状の上部周縁部であって、雄ねじは飲用乳首を上部周縁部の上縁部に固締するためのねじリングに連結する上部周縁部と、縁部で上部周縁部に連結されてその断面を塞ぐ上部仕切りを含む上部閉止リングであって、上部仕切りは、第１の上面に封止するように配置されている第２の上面および第２の下面と、一方では第２の下面において、他方では第２の上面において開口する少なくとも１つの上部貫流孔とを含む、上部閉止リングと、下部閉止リングと上部閉止リングとを互いに回転可能および着脱可能に係止する係止要素と、下部周縁部に対して同軸の軟弾性材料でできている円形リップシールであって、円形リップシールは、第１の上面に配置されている少なくとも１つの軸方向に向いている封止リップと、少なくとも１つの円形シール形状部と、を備え、円形シール形状部はリップシールと係合しており、上部周縁部に対して同軸であり、第２の下面に配置されているか、またはその逆であり、上部閉止リングを下部閉止リングに対して回転させることによって、上部貫流孔が、任意選択的に下部貫流孔に対して重なり合う位置および重な合わない位置となることができる。【選択図】図１
2013500750.tif 000002
【特許請求の範囲】
【請求項１】
こぼれ防止機能付き乳児用哺乳瓶の閉止システムであって、
瓶（１０）の雄ねじ（１４）にねじ止めされることのできる雌ねじ（３３）を備えた略円筒状の下部周縁部（３１）を有し、前記雌ねじ（３３）の上の縁部で前記下部周縁部（３１）に連結され、その断面を塞ぐ下部仕切り（３７）を含む下部閉止リング（３０）であって、前記下部仕切り（３７）は、第１の上面（３８）および第１の下面（３９）と、一方では前記第１の上面（３８）において、他方では前記第１の下面（３９）において開口する少なくとも１つの下部貫流孔（４０，４１）とを含む、下部閉止リング（３０）と、
雄ねじ（６３）を有する略円筒状の上部周縁部（６１）であって、前記雄ねじ（６３）は飲用乳首（１００）を前記上部周縁部（６１）の上縁部に固締するためのねじリング（９０）に連結する上部周縁部（６１）と、前記縁部で前記上部周縁部（６１）に連結されてその断面を塞ぐ上部仕切り（７０）を含む上部閉止リング（６０）であって、前記上部仕切り（７０）は、前記第１の上面（３８）に封止するように配置されている第２の上面（７１）および第２の下面（７２）と、一方では前記第２の下面（７２）において、他方では前記第２の上面（７１）において開口する少なくとも１つの上部貫流孔（７３，７４）を含む上部閉止リング（６０）と、
前記下部閉止リング（３０）と前記上部閉止リング（６０）とを互いに回転可能および着脱可能に係止する係止要素（４８，４９，５０，５１，６６，６７）と、
前記下部周縁部（３１）に対して同軸の軟弾性材料でできている円形リップシール（４２）であって、前記円形リップシール（４２）は、前記第１の上面（３８）に配置されている少なくとも１つの軸方向に向いている封止リップ（４３，４４）と、少なくとも１つの円形シール形状部（７５）とを備え、
前記円形シール形状部（７５）は前記リップシール（４２）と係合しており、前記上部周縁部（６１）に対して同軸であり、前記第２の下面（７２）に配置されているか、またはその逆であり、
前記上部閉止リング（６０）を前記下部閉止リング（３０）に対して回転させることによって、前記上部貫流孔（７３，７４）が、前記下部貫流孔（４０，４１）に対して重なり合う位置および重な合わない位置となることができる、こぼれ防止機能付き乳児用哺乳瓶の閉止システム。
【請求項２】
こぼれ防止機能付き乳児用哺乳瓶の閉止システムであって、
瓶（１０）の雄ねじ（１４）にねじ止めされることのできる雌ねじ（３３）を備えた略円筒状の下部周縁部（３１）を有し、前記雌ねじ（３３）の上の縁部で前記下部周縁部（３１）に連結され、その断面を塞ぐ下部仕切り（３７）を含む下部閉止リング（３０）であって、前記下部仕切り（３７）は、第１の上面（３８）および第１の下面（３９）と、一方では前記第１の上面（３８）において、他方では前記第１の下面（３９）において開口する少なくとも１つの下部貫流孔（４０，４１）とを含む、下部閉止リング（３０）と、
雄ねじ（６３）を有する略円筒状の上部周縁部（６１）であって、前記雄ねじ（６３）は飲用乳首（１００）を前記上部周縁部（６１）の上縁部に固締するためのねじリング（９０）に連結する上部周縁部（６１）と、前記縁部で前記上部周縁部（６１）に連結されてその断面を塞ぐ上部仕切り（７０）とを含む上部閉止リング（６０）であって、前記上部仕切り（７０）は、前記第１の上面（３８）に封止するように配置されている第２の上面（７１）および第２の下面（７２）と、一方では前記第２の下面（７２）において、他方では前記第２の上面（７１）において開口する少なくとも１つの上部貫流孔（７３，７４）を含む、上部閉止リング（６０）と、
前記下部閉止リング（３０）と前記上部閉止リング（６０）とを互いに回転可能および着脱可能に係止する係止要素（４８，４９，５０，５１，６６，６７）と、
前記下部仕切り（３７）の前記第１の上面（３８）に配置されている、軟弾性材料でできている少なくとも１つのケーキをスライスした形状の封止クッション（４５，４６）とを備え、
前記ケーキをスライスした形状と相補的な縁部上の封止シートを備えた少なくとも１つの上部貫流孔（７３，７４）が、前記上部仕切り（７０）の前記第２の下面（７２）に配置されているか、またはその逆であり、かつ、任意選択的に前記上部閉止リング（６０）を前記下部閉止リング（３０）に対して回転させることによって、前記上部貫流孔（７３，７４）が前記下部貫流孔（４０，４１）に対して重なり合う位置になり、前記封止シートが前記封止クッション（４５，４６）に対して封止位置になることができる、こぼれ防止機能付き乳児用哺乳瓶の閉止システム。
【請求項３】
請求項１および２に記載の、閉止システム。
【請求項４】
前記リップシール（４２）は、２重リップシールである、請求項１または３に記載の閉止システム。
【請求項５】
前記下部閉止リング（３０）および前記上部閉止リング（６０）は、それぞれ２つの直径方向に対向する貫流孔（４０，４１，７３，７４）を含み、および／または、前記下部閉止リング（３０）は、２つの直径方向に対向するケーキをスライスした形状の封止クッション（４５，４６）を含み、かつ、前記上部閉止リングは、縁部に封止シートを備えた２つの直径方向に対向する貫流孔（７３，７４）を含むか、またはその逆である、請求項１から４のいずれか一項に記載の閉止システム。
【請求項６】
前記係止要素（４８、４９、５０、５１、６６、６７）は、差し込み閉止部の部分である、請求項１から５のいずれか一項に記載の閉止システム。
【請求項７】
前記雌ねじ（３３）の上にある前記下部閉止リング（３０）は、瓶（１０）の上縁部を密封するための、軟弾性材料でできている円形の周縁封止要素（４７）を含む、請求項１から６のいずれか一項に記載の閉止システム。
【請求項８】
前記封止要素（４７）は、円形のディスク形状である、請求項７に記載の閉止システム。
【請求項９】
前記リップシール（４２）および前記封止要素（４７）および／または前記封止クッション（４５，４６）は、軟弾性材料からなり、前記下部仕切り（３７）の前記第１の上面（３８）の上にある前記リップシール（４２）から、前記下部貫流孔（４０，４１）を通って、前記封止要素（４７）および／または前記封止クッション（４５，４６）まで延びる、請求項７または８に記載の閉止システム。
【請求項１０】
前記リップシール（４２）および／または前記封止クッション（４５，４６）および／または前記封止要素（４７）からなる前記下部および／または上部の閉止リング（２０，６０）は、２部品を射出成形する方法において、前記リップシール（４２）および／または前記封止クッション（４５，４６）および／または前記封止要素（４７）のために軟弾性プラスチック部品から、および硬弾性プラスチック部品から製造される、請求項１から９のいずれか一項に記載の閉止システム。
【請求項１１】
前記リップシール（４２）および／または前記封止クッション（４５，４６）および／または前記封止要素（４７）は、熱可塑性エラストマからなる、請求項１から１０のいずれか一項に記載の閉止システム。
【請求項１２】
前記下部閉止リング（３０）は、乳児用哺乳瓶にねじジ止めされている、請求項１から１１のいずれか一項に記載の閉止システム。
【請求項１３】
飲用乳首（１００）は、ねじリング（３０）によって前記上部閉止リング（６０）に保持されている、請求項１から１１のいずれか一項に記載の閉止システム。
【発明の詳細な説明】
【技術分野】
【０００１】
本発明は、こぼれ防止機能付き乳児用哺乳瓶の閉止システムに関する。
【背景技術】
【０００２】
周知の乳児用哺乳瓶では、下縁部の乳首が円周状の乳首フランジを有し、これがねじリングによって瓶の開口部の縁に対して封止するように固定され、ねじリングは瓶の雄ねじにねじ止めされている。飲むことを中断している間に液体がこぼれるのを防止するために、蓋を乳首フランジとフランジ縁部との間に配置し、ねじリングによってしっかり締める。
【０００３】
より使い勝手の良いこぼれ防止機能付き乳児用哺乳瓶が、ＤＥ  １０１  ５７  ０７１  Ｃ１に開示されている。この瓶は、瓶の雄ねじにねじ止めされる下部閉止リングを備え、このリングは少なくとも１つの第１の貫流孔を有する第１のシート面を備える。上部閉止リングが、少なくとも１つの第２の貫流孔を備えた第２のシート面を有する。この２つの閉止リングは、係止要素によって互い回転および着脱可能に係止されることが可能である。上部閉止リングを回転させることによって、第１および第２の貫流孔を重なり合う位置および重なり合わない位置にすることが可能である。飲用乳首が、ねじリングによって上部閉止リングの雄ねじにねじ止めされる。貫流孔が互いに重なり合う場合、飲用乳首を通して乳児食を摂取ことが可能である。貫流孔が互いに重なり合わない場合、飲用乳首を通して乳児食を移動することが阻止される。
【０００４】
例示的実施形態では、閉止リングが円錐状のシート面を有する。さらに、下部閉止リングの下面と第１のシート面の上面とに、封止リングがある。下部閉止リングは、下部の円錐状のシート面から内側に突出する係止突起部を含み、上部閉止リングは、下部の第２の円錐状のシート面から突出し、係止突起部の後ろで係止するスナップ式つまみ（ｓｎａｐ  ｔｏｎｇｕｅｓ）を有する。
【特許文献１】ＤＥ  １０１  ５７  ０７１  Ｃ１
【特許文献２】ＷＯ  ２００７／０４２１１７  Ａ１
【発明の開示】
【発明が解決しようとする課題】
【０００５】
こぼれ防止機能付き瓶の製造および使用は、それでもなお、ある程度は複雑である。その空間形状が複雑であるために、閉止リングに汚れが蓄積されやすい。スナップ式つまみは、乳児食と接触し、取り外しのためには手で触る必要がある。閉止リングの洗浄は、複雑である。
【０００６】
ＷＯ  ２００７／０４２１１７  Ａ１は、製造および使用を簡単にするこぼれ防止機能付き乳児用哺乳瓶を開示している。一変形例が、下部閉止リングを有する閉止システムを含む。この閉止システムは、瓶の雄ねじに対してねじ止めされている第１の雌ねじを備えた、略円筒状の第１の周縁部を有し、第１の周縁部の上縁部に連結される第１の中央部を含み、中央部は、長手方向縦軸回りに回転対称であり、瓶の内部から離れて対向する第１のシート面と、一方では第１のシート面において、他方では瓶の内部に面する第１の中央部の一面において開口する少なくとも１つの第１の貫流孔と、少なくとも貫流孔の端縁周りで第１のシート面と瓶の上端に位置する封止面とに射出成形され、第１のシート面から第１の貫流孔を通って瓶の内部に対向する面に沿って第１の中央部の封止面まで延びるプラスチック素材からなる軟弾性材料の封止要素を有する。さらに、閉止システムは、第２の雄ねじを備えた略円筒状の第２の周縁部を有する上部閉止リングであって、この上部閉止リングは上に雌ねじを備えたねじリングの飲用乳首が固定されて、第２の周縁部に連結されている第２の中央部を有し、中央部は、長手方向軸回りに回転対称であり、第１のシート面に封止するように配置されている第２のシート面と、一方では第２のシート面において、他方では第２の中央部において第２のシート面から離れる面において開口する少なくとも１つの第２の貫流孔とを備え、前記貫流孔は、上部閉止リングを下部閉止リングに対して回転することによって、第１の貫流孔に対して重なり合う位置および重なり合わない位置になることが可能である。さらに、係止要素があり、これは、下部閉止リングと上部閉止リングとを互いに対して回転可能および着脱可能に連結する。
【０００７】
例示的実施形態によると、軟弾性の封止材料は、下部閉止リングに射出成形され、第１のシート面上の貫流孔を囲む円形部を覆う。さらに、それぞれ封止材料が貫流孔の内周に細片状部分を有する。細片状部分からの第１の中心部の下面に、軟弾性の封止材料のさらなる細片状部分がある。この細片状部は、第１の周縁部の円筒状部分の内面まで下がって延びており、同一材料でできている環状の周縁封止面に底部で連結されている。環状の周縁封止面は、第１の周縁部の段の内面に配置されている。この封止材料は、たとえば、熱可塑性エラストマである。
【０００８】
周知の閉止システムでは、下部閉止リングと上部閉止リングとの間を封止し、下部閉止リングの第１のシート面の環状のディスク形状の軟弾性封止材料と、その上に配置される上部閉止リングの略平坦な第２のシート面との間を封止する。ここでは、特にシート表面が特定の接触圧によって互いに正確に支え合わない場合に漏れにつながる可能性がある。さらに、軟弾性封止材料でできている第１のシート面と第２のシート面との間の摩擦によって、下部閉止リングに対する上部閉止リングの回転が妨げられる可能性がある。
【０００９】
このような背景に対して、本発明の目的は、改良された使用特性を備えたこぼれ防止機能付き乳児用哺乳瓶の閉止システムを提供することである。
【００１０】
本目的は、請求項１の特徴を有する閉止システムによって達成される。さらに、本目的は、請求項２の特徴を有する閉止システムによって達成される。閉止システムの有利な実施形態は、従属請求項に記載されている。
【００１１】
本発明による、こぼれ防止機能付き乳児用哺乳瓶の閉止システムが、
瓶の雄ねじにねじ止めされることのできる雌ねじを備えた略円筒状の下部周縁部を有し、雌ねじの上の縁部で下部周縁部に連結され、その断面を塞ぐ下部仕切りを含む下部閉止リングであって、下部仕切りは、第１の上面および第１の下面と、一方では第１の上面において、他方では第１の下面において開口する少なくとも１つの下部貫流孔とを含む、下部閉止リングと、
雄ねじを有する略円筒状の上部周縁部であって、雄ねじは飲用乳首を上部周縁部に固締するためのねじリングに連結する上部周縁部と、縁部で上部周縁部に連結されてその断面を塞ぐ上部仕切りを含む上部閉止リングであって、上部仕切りは、第１の上面に封止するように配置されている第２の上面および第２の下面と、一方では第２の下面において、他方では第２の上面において開口する少なくとも１つの上部貫流孔とを含む、上部閉止リングと、
下部閉止リングと上部閉止リングとを互いに回転可能および着脱可能に係止する係止要素と、
第１の上面に配置されている下部周縁部に対して同軸の軟弾性材料でできている円形リップシールであって、円形リップシールは、少なくとも１つの軸方向に向いている封止リップと、少なくとも１つの円形シール形状部とを備え、円形シール形状部はリップシールと係合しており、上部周縁部に対して同軸であり、第２の下面に配置されているか、またはその逆であり、
上部閉止リングを下部閉止リングに対して回転させることによって、上部貫流孔が下部貫流孔に対して重なり合う位置および重な合わない位置となることができる。
【００１２】
本発明による閉止システムは、下部閉止リングの雌ねじによってこぼれ防止機能付き乳児用哺乳瓶にねじ止めされることができる。さらに、飲用乳首は、ねじリングによって上部閉止リングの雄ねじにねじ止めされることが可能である。この場合、下部閉止リングを瓶の上縁部に密封して配置してもよく、飲用乳首を上部閉止リングの上部周縁部の上縁部に密封して配置してもよい。
【００１３】
閉止リングは、係止要素を介して互いに回転可能および着脱自在に連結されている。閉止リングは、１つの下部貫流孔および少なくとも１つの上部貫流孔を有し、これらは、上部閉止リングを下部閉止リングに対して回転することによって、重なり合う位置および重なり合わない位置となることができる。少なくとも１つの下部貫流孔および少なくとも１つの上部の貫流孔が重なり合う場合、乳児食を摂取することができる。これらが重なり合わない場合、閉止システムは、液体の乳児食が移動されるのを阻止する。下部閉止リングおよび上部閉止リングは、平坦である第１の上面および第２の下面で互いに支えるので、原理では乳児食が２つの閉止リング間で外側に流出することができない。
【００１４】
少なくとも１つの円形リップシールおよびそれと係合している少なくとも１つの円形シール形状部は、第１の上面と第２の下面間にある接触領域のさらなる側方のシールとして存在する。この場合、下部閉止リングが少なくとも１つの円形リップシールを有し、上部閉止リングが少なくとも１つの円形シール形状部を有しているか、あるいは、下部閉止リングが少なくとも１つの円形シール形状部を有し、上部閉止リングが少なくとも１つの円形リップシール有しているかのどちらかである。上部閉止リングおよび下部閉止リングの両方が、少なくとも１つの円形リップシールおよび少なくとも１つの円形シール形状部を有していることも可能である。少なくとも１つの円形リップシールおよび少なくとも１つの円形シール形状部は、これらが下部貫流孔および上部貫流孔を囲むように配置されている。これらは、下部周縁部および上部周縁部に同心状に配置されるので、下部閉止リングが上部閉止リングに対して回転するのを妨げることがない。少なくとも１つの円形リップシールと少なくとも１つの円形シール形状部によって、下部閉止リングと上部閉止リングとの間の封止が向上し、液体の乳児食が側方にこぼれるのをより効果的に防止する。この場合、特に有利であるのは、軸方向に向いた封止リップおよび対応する円筒状の周縁部の軸方向における対応するシール形状部が互いに係合するので、下部閉止リングおよび上部閉止リングが互いに容易に接合し、互いから分離することができることである。
【００１５】
請求項２に記載のこぼれ防止機能付き乳児用哺乳瓶のための、本発明による閉止システムは、
瓶の雄ねじにねじ止めされることのできる雌ねじを備えた略円筒状の下部周縁部を有し、雌ねじの上の縁部で下部周縁部に連結され、その断面を塞ぐ下部仕切りを含む下部閉止リングであって、下部仕切りは、第１の上面および第１の下面と、一方では第１の上面において、他方では第１の下面において開口する少なくとも１つの下部貫流孔とを含む、下部閉止リングと、
雄ねじを有する略円筒状の上部周縁部であって、雄ねじは飲用乳首を上部周縁部に固締するためのねじリングに連結する上部周縁部と、縁部で上部周縁部に連結されてその断面を塞ぐ上部仕切りを含む上部閉止リングであって、上部仕切りは、第１の上面に封止するように配置されている第２の上面および第２の下面と、一方では第２の下面において、他方では第２の上面において開口する少なくとも１つの上部貫流孔とを含む、上部閉止リングと、
下部閉止リングと上部閉止リングとを互いに回転可能および着脱可能に係止する係止要素と、
ケーキをスライスした形状と相補的な縁部上の封止シートを備えた少なくとも１つの上部貫流孔が、上部仕切りの第２の下面に配置されているか、またはその逆であり、かつ、任意選択的に上部閉止リングを下部閉止リングに対して回転させることによって、上部貫流孔が下部貫流孔に対して重なり合う位置になり、封止シートが封止クッションに対して封止位置になることができる。
【００１６】
本発明による閉止システムは、下部閉止リングの雌ねじによってこぼれ防止機能付き乳児用哺乳瓶にねじ止めされることができる。さらに、飲用乳首は、ねじリングによって上部閉止リングの雄ねじにねじ止めされることが可能である。この場合、下部閉止リングを瓶の上縁部に密封して配置してもよく、飲用乳首を上部閉止リングの上部周縁部の上縁部に密封して配置してもよい。
【００１７】
閉止リングは、係止要素を介して互いに回転可能および着脱可能に連結されている。閉止リングは、１つの下部貫流孔および少なくとも１つの上部貫流孔を有し、これらは、上部閉止リングを下部閉止リングに対して回転することによって、重なり合う位置および重なり合わない位置となることができる。少なくとも１つの下部貫流孔および少なくとも１つの上部の貫流孔が重なり合う場合、乳児食を除去することができる。これらが重なり合わない場合、閉止システムは、液体の乳児食が移動されるのを阻止する。下部閉止リングおよび上部閉止リングは、平坦である第１の上面および第２の下面で互いに支えるので、原理では乳児食が２つの閉止リング間で外側に流出することができない。
【００１８】
少なくとも１つの封止クッションに対して１つの封止シートが密封位置にある状態で、上部閉止リングが配置されるように、上部閉止リングが下部閉止リングに対して回転する場合、少なくとも１つの下部貫流孔および少なくとも１つの上部貫流孔によって、液体の乳児食の貫流が防止される。したがって、これと同時に、下部仕切りの第１の上面と上部仕切りの第２の下面との間の接触領域によって、液体の乳児食が側方に流出しない。この少なくとも１つの封止クッションが下部仕切りの第１の上面に配置され、少なくとも１つの封止シートが上部仕切りの第２の下面に配置されるか、あるいは、少なくとも１つの封止クッションが上部仕切りの第２の下面に配置され、少なくとも１つの封止シートが下部仕切りの第１の上面に配置されるかのいずれかである。さらに、本発明は、可能な実施形態を組み込むが、この実施形態では、下部仕切りが、少なくとも１つのケーキをスライスした形状の封止クッションと、少なくとも１つのケーキをスライスした形状の封止シートとを含み、上部仕切りが、それに相補的な少なくとも１つの封止クッションと、下部仕切りの少なくとも１つのケーキをスライスした形状の封止クッションに相補的な少なくとも１つの封止シートとを含む。
【００１９】
ケーキをスライスした形状の封止クッションおよびそれに相補的な封止シートは、液体の乳児食の除去および上記の貫流孔の特に密封された封止にとって特に有利となる貫流孔の形状を促進する。好ましい実施形態によると、封止シートは、少なくとも１つの上部貫流孔のまわりの周縁端であり、封止シートが封止クッションに対して密封位置になると、封止クッションが封止シートを縁部で密封して支える。この縁部は、特に寸法的に安定しているか、あるいはそれぞれに滑らかな面を備えて生産されることができる。好ましくは、これは、貫流孔の縁部上の面取りであるか、あるいはそれぞれに傾斜がついている面であり、貫流孔の中で封止クッションが押圧され、上記の封止クッションは面取りまたは傾斜面に対してその縁部と密封して支える。
【００２０】
本発明の一実施形態によると、請求項１の特徴を有する閉止システムはまた、請求項２の閉止システムの特徴を有する。この閉止システムでは、下部および上部の貫流孔が互いに重なり合う場合、液体の乳児食が上部および下部の閉止部間で側方に流出することもまた、確実に防ぐことができる。
【００２１】
縁部の密封をさらに向上させる好ましい実施形態によると、リップシールは２重リップシールである。
【００２２】
液体乳児食の除去および閉止リングの密封を向上させるさらなる実施形態によると、下部閉止リングおよび上部閉止リングが、それぞれ２つの直径方向に対向する貫流孔を含み、かつ／または、下部閉止リングがケーキをスライスした形状の封止クッションを含み、かつ、上部閉止リングが縁部に封止シートを備えた２つの直径方向に対向する貫流孔を含むか、またはその逆である。
【００２３】
係止要素は、様々な方法で設計されてもよい。好ましい実施形態によれば、これらは、差込み閉止部の部分である。差込み閉止部によって、閉止リングと上部閉止リングとを互いに簡単に連結することができ、かつ、ユーザが下部閉止リングと上部閉止リングとを簡単に分離することもできる。
【００２４】
さらなる実施形態によると、雌ねじの上にある下部閉止リングが、瓶の上縁部を密封するための、軟弾性材料でできている円形の周縁封止要素を含む。その結果、瓶上の閉止システムの封止シートが補助される。しかし、原理では、閉止システムと瓶との間に特定の封止リングを挿入することもまた可能である。
【００２５】
好ましい実施形態によると、封止要素が円形のディスク形状である。
【００２６】
さらなる実施形態によると、リップシールおよび封止要素が、軟弾性材料からなり、下部仕切りの第１の上面の上にあるリップシールから下部貫流孔を通って封止要素まで延びる。それゆえ、この封止要素は下部閉止リングに連続的に射出成形されることができる。これは、生産技術に関して有利である。
【００２７】
一実施形態によると、リップシールおよび／または封止クッションおよび／または封止要素からなる下部および／または上部の閉止リングが、２部品を射出成形するプロセスにおいて、リップシールおよび／または封止クッションおよび／または封止要素のために軟弾性プラスチック部品から、および硬弾性プラスチック部品から製造される。この２部品を射出成形するプロセスは、特に、コア収縮プロセスまたはトランスファプロセスであってもよい。
【００２８】
さらなる実施形態によると、リップシールおよび／または封止クッションおよび／または封止要素が、熱可塑性エラストマからなる。熱可塑性エラストマから製造することによって、特に、リップシールおよび／または封止クッション、および／または封止要素間の下部および／または上部の閉止リングの残りの部分との物質的な連結が促進される。基本的に、リップシールおよび／または封止クッションおよび／または封止要素を、下部閉止リングおよび／または閉止リングの残りの部分に積極的に、かつ／または非積極的に連結することもまた可能である。このことは、熱可塑性エラストマでできているこれらの封止部の実施形態、および、たとえばゴムまたはシリコーンなど異なる封止材料でできているこれらの封止部の可能な実施形態の両方に適用されている。
【００２９】
好ましい実施形態によると、第１の上面が平坦であり、第２の下面が平坦である。第１の下面および第２の上面が平坦である場合、さらに好ましい。
【００３０】
さらなる実施形態によると、下部閉止リングが乳児用哺乳瓶にねじ止めされる。
【００３１】
さらなる実施形態によると、飲用乳首が、ねじリングによって上部閉止リングに保持される。
【００３２】
本発明を、例示的実施形態の添付の図面を参照しつつ、以下により詳細に記載する。
【図面の簡単な説明】
【００３３】
【図１】ねじ止めされた飲用乳首を備えた乳児用哺乳瓶にねじ止めされている閉止システムの縦断面図である。
【図２】図２ａから図２ｅは、同じ閉止システムの側面図（図２ａ）、左手側から見た図（図２ｂ）、右手側から見た図（図２ｃ）、下方から見た図（図２ｄ）、および平面図（図２ｅ）である。
【図３】図３ａから図３ｇは、同じ閉止システムの下部閉止リングの正面図（図３ａ）、右手側から見た図（図３ｂ）、平面図（図３ｃ）、下方から見た図（図３ｄ）、図３ｂの線Ａ−Ａに沿って見た断面図（図３ｅ）、図３ａの線Ｂ−Ｂに沿って見た断面図（図３ｆ）、および上側方から斜めにみた斜視図（図３ｇ）である。
【図４】図４ａから図４ｆは、同じ閉止システムの上部閉止リングの正面図（図４ａ）、右手側から見た図（図４ｂ）、平面図（図４ｃ）、下から見た図（図４ｄ）、図４ａの線Ｂ−Ｂに沿って見た断面図（図４ｅ）、図３ａの線Ｃ−Ｃに沿って見た断面図（図４ｆ）、および上側方から斜めに見た斜視図（図４ｇ）である。
【発明を実施するための最良の形態】
【００３４】
本出願において、用語「頂部」および「底部」は、上記閉止システムが瓶にねじ止めされ、飲用乳首にねじ止めされる場合の閉止システムの位置合わせを示し、瓶は垂直に位置合わせされ、底が表面に位置し、飲用乳首がその瓶の上に配置されている。
【００３５】
図１によると、下部閉止リング３０および上部閉止リング６０を含む閉止システム２０が乳児用哺乳瓶１０にねじ止めされ、飲用乳首１００がねじリング９０によって閉止システム２０にねじ止めされている。
【００３６】
瓶１０は、円筒状で腰のくびれた瓶本体１１を有し、この本体は、下端部に底部１２と上端部に首部１３とを含む。この首部１３は、幅の広い首部として設計されているが、その下に位置する瓶本体１１の領域よりも直径が小さい。首部１３は、単一のねじ山の瓶の雄ねじ１４を有し、頂部に瓶の開口部１５を有する。瓶の開口部１５は、上部の瓶端部１６によって囲まれている。瓶１０は、長手方向の中心軸１７を有する。
【００３７】
特に図２および図３から視認できるように、下部閉止リング３０は、複数の部分を含む略円筒状の下部周縁部３１を有する。略円筒状の形状をした下部周縁部の第１の部分３２は、内周縁に雌ねじ３３を有し、この雌ねじは、図１によると瓶の雄ねじ１４にねじ止めされている。下部周縁部の第２の部分３４が、下部周縁部の第１の部分３２の周縁から半径方向外側かつ下方に突出し、瓶の首部１３を側方に覆う。
【００３８】
さらに、下部周縁部３１は、下部周縁部の第１の部分２２の上縁部から半径方向内側に突出する下部周縁部の第３の部分３５を有し、この部分は略円形のディスク形状である。下部周縁部の略円筒状の第４の部分３６が、下部周縁部の第３の部分３５の内側から軸方向上方に突出する。
【００３９】
下部仕切り３７が、上部周縁部分の第４の部分３６の上縁部に連結されており、この仕切りは下部閉止リング３０の断面を実質的に塞ぐ。
【００４０】
上記の円形ディスク形状の仕切り３７は、略平坦な第１の上面３８および略平坦な第１の下面３９を有する。さらに、仕切りは、直径方向に対向するケーキをスライスした形状の下部貫流孔４０、４１を含み、この貫流孔は、第１の上面３８から第１の下面３９まで延びる。
【００４１】
第１の上面３８は、円形の２重リップシール４２によって囲まれており、その封止リップ４３、４４が第１の上面３８に対して垂直に上方に延びている。この２重リップシールは、「２重の層状シール」として示されてもよい。さらに、２つの直径方向に対向するケーキをスライスした形状の封止クッション４５、４６が、第１の上面３８に配置されている。上記の直径方向に対向するケーキをスライスした形状の封止クッションは、ケーキをスライスした形状の２つの下部貫流孔４０、４１の間を二等分した角度に配置されている。
【００４２】
ケーキをスライスした形状の貫流孔４０、４１およびケーキをスライスした形状の封止クッション４５、４６は、円形のディスク形状の仕切り３７の中心から間隔が大きくなって広がっている。
【００４３】
さらに、下部周縁部の第２の部分の下面にある閉止リングは、円形のディスク形状の封止要素４７を有する。
【００４４】
さらに、下部周縁部の第１の部分３２の外周縁にある下部閉止リング３０は、２つの対向する長手方向溝４８、４９を有する。この溝はそれぞれ環状溝５０、５１に接続されている。環状溝は、底部で下部周縁部の第２の部分３４によって画定されている。それぞれの隣接する環状溝５０、５１におけるそれぞれの長手方向溝４８、４９に隣接して、ラッチ型突起部５２、５３がそれぞれに存在する。ラッチ型突起部５２、５３は、それぞれ長手方向面４８、４９および／または環状溝５０、５１に向かう面取りを有する。環状溝５０、５１は、それぞれ、止め具５４、５５によって対向する端部に画定されており、この止め具は、同時に、環状溝５０、５１を隣接する長手方向の溝４８、４９から分離する。
【００４５】
各場合において、直径方向に対向する周縁領域の外側にある下部周縁部の第２の部分に、印刷された文字「ｐｒｅｓｓ  ｏｐｅｎ」を備えた２つの半円形の下部隆起部５６、５７がある。半円形の下部隆起部５６、５７を押圧することによって、それに近接して配置されているラッチ型突起部５２、５３をわずかに内側に移動させることが可能となる。
【００４６】
下部閉止リング３０は、原理上、硬弾性プラスチック材料から、たとえばポリプロピレン（ＰＰ）から製造される。軟弾性の封止材料は、下部閉止リング３０に射出成形され、２重リップシール４２と、封止クッション４５、４６と、封止要素４７とを形成する。封止材料があらゆる上述のシール４２、４５、４６、４７を互いに連結するように、この封止材料は射出成形される。たとえば、封止材料は熱可塑性エラストマ（ＴＰＥ）である。
【００４７】
図２および図４によると、上部閉止リング６０が、複数の部分を有する上部周縁部６１を有する。略円筒状の上部周縁部の第１の部分６２は、外周縁上に雄ねじ６３を有する。上部周縁部の第１の部分６２は、下端部で、半径方向外側に突出する上部周縁部の第２の部分６４に連結されている。上部周縁部の第２の部分６４は、外周縁で、軸方向下方に突出する上部周縁部の第３の部分６５に順番に連結されている。上部周縁部の第３の部分６５は、２つの突出する爪部６６、６７をその内周縁に有し、これら爪部は直径方向に互いに対向している。上部周縁部の第３の部分６５は、外側に２つの半円形の上部隆起部６８、６９を有し、この隆起部は半径方向外側に突出し、また直径方向に互いに対向している。この上部隆起部６８、６９は、爪部６６、６７に対して９０度ずれている。
【００４８】
さらに、上部閉止リング６０は、円形のディスク形状の上部仕切り７０を含む。この仕切りは、上部周縁部の第１の部分６２の上縁部のわずかに下にあり、それに連結され、上部周縁部６１の断面を塞ぐ。上部仕切り７０は、略平坦な第２の上面７１および略平坦な第２の下面７２を有する。さらに、上部仕切りは、直径方向に対向するケーキをスライスした形状の上部貫流孔７３、７４を有する。この貫流孔は、それぞれ、第２の上面７１の中と第２の下面７２との中に開口している。上部貫流孔７３、７４は、直径方向に互いに対向している。
【００４９】
第２の下面７２に、上部仕切り７０は、２重リップシールに相補的な円形シール形状部７５を有する。このシール形状部７５は、２つの円形の周縁封止溝７６、７７を有し、この中で２重リップシール４２の封止リップ４３、４４が係合可能である。このシール形状部７５は、第１の上部周縁部６１および円形のディスク形状の上部仕切り７０に対して、同心状に配置されている。
【００５０】
上部閉止リングは、たとえば、ＰＰから製造される。
【００５１】
上部閉止リング６０は、爪部６６、６７が下部周縁部の第２の部分３４に衝突するまで、下部閉止リング３０の長手方向溝４８、４９に爪部６６、６７によって挿入可能である。この場合、２重リップシール４２がシール形状部７５の封止溝７６、７７において係合する。上部閉止リング６０を約１５度回転することによって、上部閉止リング６０の爪部６６、６７が下部閉止リング３０のラッチ型突起部５２、５３の上をはね返るので、下部および上部の閉止リング３０、６０が互いに捕捉的に連結される。爪部６６、６７がラッチ型突起部５２、５３の上ではね返ると、下部および上部の貫流孔４０、４１および７３、７４が重なり合う位置になり、この位置では液体が閉止システム２０を通過することができる。この位置は、図１に示されている。
【００５２】
爪部６６、６７が止め具５５、５６に衝突するまで、上部閉止リング６０を下部閉止リング３０に対してさらに回転させることによって、上部貫流孔７３、７４が下部閉止リング３０の封止クッション４５、４６によって密封される。この場合、封止クッション４５、４６は、封止シートを形成する貫流孔７３、７４の縁部上の面取りであるか、あるいはそれぞれに傾斜がついている面に対してその縁部で密封して支える。その結果、閉止システム２０が閉止され、液体が貫流孔４０、４１、７３、７４を通過することができなくなる。閉止されると、閉止システム２０はカチッという音のノイズを発する。
【００５３】
閉止システム２０は、上部閉止リング６０によって再び開口される。この上部閉止リングは、爪部がラッチ型突起部５５、５６に衝突する位置に到達するまで反対方向に回転する。この停止位置は、下部閉止リングが２つの半円形の下部隆起部５６、５７を圧縮することによって変形する場合にのみ克服可能である。下部閉止リング３０は、閉止システム２０が瓶１０からねじ止めが解除される場合にのみ変形してもよい。上部閉止リング６０上の上部隆起部６８、６９によって、下部閉止リング３０に対する上部閉止リング６０の回転が簡単になる。さらに、特定の位置を好適に配置することによって、上部隆起部は、たとえば爪部６６、６７が長手方向溝４８、４９に係合する位置を示すことができる。
【００５４】
図１によると、ねじリング９０が円形の円筒状の環状部９１を有し、この環状部は、内周縁にねじリングの雌ねじ９２と上縁部から半径方向内側に突出する環状フランジ９３とを備え、下面にねじリングの環状溝９４を備える。ねじリング９０は、雄ねじ６３にねじ止めされる。環状フランジ９３が、第２の閉止リングの上縁部に押圧される。
【００５５】
ねじリングは、外周縁に軟弾性プラスチック材料でできているコーティング部９５を含んでいてもよい。これは、たとえばＰＰから射出成形され、軟弾性材料は、たとえば射出成形されたＴＰＥである。
【００５６】
図１によると、飲用乳首１００は、スロット付きのバルブ１０２を備えた飲口１０１、ならびに、端部に飲用孔１０４および／または飲用スロットと、飲口１０１を支える吐出し口１０５とを備えた乳首１０３を有する。飲用乳首は、吐出し口１０５の下縁部に、外側に向いた乳首フランジ１０６を有し、上方に突出する漏れ止めビード１０７を備える。飲用乳首１００は、例えば、ゴムおよび／またはラテックス、またはシリコーンゴムから製造される。
【００５７】
図１によると、飲用乳首１００は、上部閉止リング６０とねじリング９０の上縁部との間で乳首フランジ１０６に締着される。漏れ止めビード１０７は、ねじリングの環状溝９４において環状フランジ９３の下面に固定される。
【００５８】
閉止状態または開口状態にある閉止システム２０のねじリング９０は、閉止システムにねじ止めされてもよく、あるいは上記の閉止システムからそれぞれねじ止めが解除されてもよい。
【００５９】
この新規な閉止システム２０は、回転運動によって、閉止状態から開口状態まで、およびその逆に移動してもよい。閉止システム２０を作動状態にするために、個々の部分を除去する必要がない。また、閉止システム２０を開閉するとき、ユーザと食品が直接接触しない。したがって、食品の汚染のリスクがかなり低減される。さらに、任意の個々の部分をなくす可能性がない。この閉止システム２０は、瓶１０および他の容器に使用可能である。
【図１】
2013500750.tif 000003
【図２（ａ）】
2013500750.tif 000004
【図２（ｂ）】
2013500750.tif 000005
【図２（ｃ）】
2013500750.tif 000006
【図２（ｄ）】
2013500750.tif 000007
【図２（ｅ）】
2013500750.tif 000008
【図３（ａ）】
2013500750.tif 000009
【図３（ｂ）】
2013500750.tif 000010
【図３（ｃ）】
2013500750.tif 000011
【図３（ｄ）】
2013500750.tif 000012
【図３（ｅ）】
2013500750.tif 000013
【図３（ｆ）】
2013500750.tif 000014
【図３（ｇ）】
2013500750.tif 000015
【図４（ａ）】
2013500750.tif 000016
【図４（ｂ）】
2013500750.tif 000017
【図４（ｃ）】
2013500750.tif 000018
【図４（ｄ）】
2013500750.tif 000019
【図４（ｅ）】
2013500750.tif 000020
【図４（ｆ）】
2013500750.tif 000021
【図４（ｇ）】
2013500750.tif 000022
【国際調査報告】
2013500750.tif 000023
2013500750.tif 000024
2013500750.tif 000025
2013500750.tif 000026
2013500750.tif 000027
2013500750.tif 000028
2013500750.tif 000029
2013500750.tif 000030
2013500750.tif 000031
2013500750.tif 000032